(57)【要約】【課題】シリンジにより、例えば、液体の投与や採血等を行う際の痛みを低減することができ、片手で容易かつ確実に操作することができる医療用補助具および医療用具を提供すること。【解決手段】医療用補助具２は、シリンジ３を支持し、生体表面の目的部位に当接する当接面４２１を有する当て部４２を備える本体部４と、前記当て部４２を振動させる振動機構５と、前記振動機構５の作動を開始するスイッチ６と、前記当て部４２の振動が前記シリンジ３に伝達することを抑制する振動緩和機構７とを備えている。振動緩和機構７は、本体部４に設置された磁石ユニット７ａと、シリンジ３に設置された磁石ユニット７ｂとを有している。【選択図】図１
2015062563.tif 000002
【特許請求の範囲】
【請求項１】
シリンジを支持し、生体表面の目的部位に当接する当接面を有する当て部を備える本体部と、
前記当て部を振動させる振動機構と、
前記振動機構の作動を開始するスイッチと、
前記当て部の振動が前記シリンジに伝達することを抑制する振動緩和機構とを備えることを特徴とする医療用補助具。
【請求項２】
前記本体部は、筒状をなし、
前記シリンジは、前記本体部に挿入される請求項１に記載の医療用補助具。
【請求項３】
前記シリンジは、その先端部に、先端に鋭利な針先を有する針管を備えており、
前記当て部は、筒状をなし、前記針管の少なくとも前記針先を覆う第１の位置と、該第１の位置から基端方向に退避して、前記針先が露出する第２の位置との間を移動可能である請求項２に記載の医療用補助具。
【請求項４】
前記当て部を前記シリンジに対して先端方向に付勢する付勢部材を有する請求項３に記載の医療用補助具。
【請求項５】
前記スイッチは、前記当て部が前記第１の位置に位置しているときは、前記振動機構を作動させず、前記当て部が前記第２の位置に移動する際、前記振動機構の作動を開始するよう構成されている請求項３または４に記載の医療用補助具。
【請求項６】
前記振動緩和機構は、前記本体部と前記シリンジとの間に設けられ、衝撃を吸収する衝撃吸収体を有する請求項１または２に記載の医療用補助具。
【請求項７】
前記振動緩和機構は、前記本体部と前記シリンジとの間に設けられた複数の磁石を有し、前記複数の磁石の斥力により、前記当て部の振動が前記シリンジに伝達することを抑制するよう構成されている請求項１〜６のいずれか１項に記載の医療用補助具。
【請求項８】
前記当て部と前記シリンジとの間には、前記本体部に対する前記シリンジの位置を規制する位置規制機構が設けられている請求項１〜７のいずれか１項に記載の医療用補助具。
【請求項９】
前記振動緩和機構は、前記シリンジを支持する機能を有する請求項１〜８のいずれか１項に記載の医療用補助具。
【請求項１０】
前記本体部は、使用時に手で把持する把持部を有しており、
前記振動緩和機構は、前記把持部と前記シリンジとの間に設けられている請求項１〜９のいずれか１項に記載の医療用補助具。
【請求項１１】
前記本体部は、使用時に手で把持する把持部を有しており、
前記振動緩和機構は、前記当て部の振動により前記把持部が振動することを抑制するものである請求項１〜５のいずれか１項に記載の医療用補助具。
【請求項１２】
前記振動緩和機構は、前記当て部の振動により振動する前記把持部の振動と逆位相の振動を前記把持部に与えるものである請求項１１に記載の医療用補助具。
【請求項１３】
前記本体部は、使用時に手で把持する把持部を有しており、
前記当て部の振動が前記把持部を把持した前記手に伝達することを抑制する振動伝達抑制機構を備える請求項１〜１２のいずれか１項に記載の医療用補助具。
【請求項１４】
前記振動伝達抑制機構は、前記把持部の外面に設けられ、衝撃を吸収する衝撃吸収体を有する請求項１３に記載の医療用補助具。
【請求項１５】
請求項１〜１４のいずれか１項に記載の医療用補助具と、
前記本体部により支持される前記シリンジとを備えることを特徴とする医療用具。
【発明の詳細な説明】
【技術分野】
【０００１】
本発明は、医療用補助具および医療用具に関するものである。
【背景技術】
【０００２】
従来から、医療分野における治療の手段として、注射器による人体への薬液の投与が知られている。この注射器による薬液の投与においては、注射器の注射針を人体へ穿刺する際、痛みと不快感を与えるので、穿刺痛を低減することが臨床現場で望まれている。特に、糖尿病患者等においては、血糖値の変動を１日数回のインスリンの自己投与によって調節しているので、穿刺痛の低減が特に望まれる。
【０００３】
このような課題に対して、特許文献１には、注射針の針先に超音波振動を印加し、これにより注射針の人体への穿刺を容易にした超音波振動子を装着した注射器が開示されている。この超音波振動子を装着した注射器によれば、針先に振動を与えることにより、注射針が人体に円滑に挿入され、これにより穿刺痛を低減することができる。
【０００４】
しかしながら、前記超音波振動子を装着した注射器では、針先が振動しているので、注射針の血管への穿刺は困難であり、また、注射針で組織を損傷する虞がある。
【０００５】
また、注射針を人体に円滑に挿入することで穿刺痛を低減しているので、穿刺痛を十分に低減することはできない。
【先行技術文献】
【特許文献】
【０００６】
【特許文献１】特開平９−２３９０３１号公報
【発明の概要】
【発明が解決しようとする課題】
【０００７】
本発明の目的は、シリンジにより、例えば、液体の投与や採血等を行う際の痛みを低減することができ、片手で容易かつ確実に操作することができる医療用補助具および医療用具を提供することにある。
【課題を解決するための手段】
【０００８】
このような目的は、下記（１）〜（１５）の本発明により達成される。
（１）  シリンジを支持し、生体表面の目的部位に当接する当接面を有する当て部を備える本体部と、
前記当て部を振動させる振動機構と、
前記振動機構の作動を開始するスイッチと、
前記当て部の振動が前記シリンジに伝達することを抑制する振動緩和機構とを備えることを特徴とする医療用補助具。
【０００９】
（２）  前記本体部は、筒状をなし、
前記シリンジは、前記本体部に挿入される上記（１）に記載の医療用補助具。
【００１０】
（３）  前記シリンジは、その先端部に、先端に鋭利な針先を有する針管を備えており、
前記当て部は、筒状をなし、前記針管の少なくとも前記針先を覆う第１の位置と、該第１の位置から基端方向に退避して、前記針先が露出する第２の位置との間を移動可能である上記（２）に記載の医療用補助具。
【００１１】
（４）  前記当て部を前記シリンジに対して先端方向に付勢する付勢部材を有する上記（３）に記載の医療用補助具。
【００１２】
（５）  前記スイッチは、前記当て部が前記第１の位置に位置しているときは、前記振動機構を作動させず、前記当て部が前記第２の位置に移動する際、前記振動機構の作動を開始するよう構成されている上記（３）または（４）に記載の医療用補助具。
【００１３】
（６）  前記振動緩和機構は、前記本体部と前記シリンジとの間に設けられ、衝撃を吸収する衝撃吸収体を有する上記（１）または（２）に記載の医療用補助具。
【００１４】
（７）  前記振動緩和機構は、前記本体部と前記シリンジとの間に設けられた複数の磁石を有し、前記複数の磁石の斥力により、前記当て部の振動が前記シリンジに伝達することを抑制するよう構成されている上記（１）〜（６）のいずれか１項に記載の医療用補助具。
【００１５】
（８）  前記当て部と前記シリンジとの間には、前記本体部に対する前記シリンジの位置を規制する位置規制機構が設けられている上記（１）〜（７）のいずれか１項に記載の医療用補助具。
【００１６】
（９）  前記振動緩和機構は、前記シリンジを支持する機能を有する上記（１）〜（８）のいずれか１項に記載の医療用補助具。
【００１７】
（１０）  前記本体部は、使用時に手で把持する把持部を有しており、
前記振動緩和機構は、前記把持部と前記シリンジとの間に設けられている上記（１）〜（９）のいずれか１項に記載の医療用補助具。
【００１８】
（１１）  前記本体部は、使用時に手で把持する把持部を有しており、
前記振動緩和機構は、前記当て部の振動により前記把持部が振動することを抑制するものである上記（１）〜（５）のいずれか１項に記載の医療用補助具。
【００１９】
（１２）  前記振動緩和機構は、前記当て部の振動により振動する前記把持部の振動と逆位相の振動を前記把持部に与えるものである上記（１１）に記載の医療用補助具。
【００２０】
（１３）  前記本体部は、使用時に手で把持する把持部を有しており、
前記当て部の振動が前記把持部を把持した前記手に伝達することを抑制する振動伝達抑制機構を備える上記（１）〜（１２）のいずれか１項に記載の医療用補助具。
【００２１】
（１４）  前記振動伝達抑制機構は、前記把持部の外面に設けられ、衝撃を吸収する衝撃吸収体を有する上記（１３）に記載の医療用補助具。
【００２２】
（１５）  上記（１）〜（１４）のいずれか１項に記載の医療用補助具と、
前記本体部により支持される前記シリンジとを備えることを特徴とする医療用具。
【発明の効果】
【００２３】
本発明によれば、生体表面の目的部位に振動刺激を与えることにより、シリンジにより、例えば、液体の投与や採血等を行う際の痛み、すなわち、シリンジに装着された針管の穿刺痛や、シリンジとしてジェットインジェクターを用いる場合の液体を注入する際の痛みを低減することができる。
【００２４】
また、振動がシリンジに伝達することを抑制することができ、また、医療用補助具がシリンジを支持することにより、その医療用補助具とシリンジとが一体化されるので、片手で容易かつ確実に操作することができる。
【図面の簡単な説明】
【００２５】
【図１】本発明の医療用具の第１実施形態を示す断面図（ブロック図を含む）である。
【図２】図１に示す医療用具の使用時の作動状態を順に示す断面図（ブロック図を含む）である。
【図３】図１に示す医療用具の使用時の作動状態を順に示す断面図（ブロック図を含む）である。
【図４】本発明の医療用具の第２実施形態を示す断面図（ブロック図を含む）である。
【図５】本発明の医療用具の第２実施形態の変形例を示す断面図（ブロック図を含む）である。
【図６】本発明の医療用具の第３実施形態を示す断面図（ブロック図を含む）である。
【図７】本発明の医療用具の第４実施形態を示す断面図（ブロック図を含む）である。
【図８】本発明の医療用具の第５実施形態を示す断面図（ブロック図を含む）である。
【図９】本発明の医療用具の第６実施形態を示す断面図（ブロック図を含む）である。
【図１０】本発明の医療用具の第７実施形態を示す断面図（ブロック図を含む）である。
【図１１】本発明の医療用具の第８実施形態を示す斜視図である。
【発明を実施するための形態】
【００２６】
以下、本発明の医療用補助具および医療用具を添付図面に示す好適な実施形態に基づいて詳細に説明する。
【００２７】
＜第１実施形態＞
図１は、本発明の医療用具の第１実施形態を示す断面図（ブロック図を含む）である。図２および図３は、それぞれ、図１に示す医療用具の使用時の作動状態を順に示す断面図（ブロック図を含む）である。
【００２８】
なお、以下では、説明の都合上、図１〜図３中の上下方向を「軸方向」、上側を「基端」または「後端」、下側を「先端」と言う（図４〜図１１についても同様）。
【００２９】
図１に示す医療用具１は、液体を生体に投与する（注入する）際に用いられる器具である。なお、液体としては、その使用目的に応じて適宜選択され、特に限定されないが、例えば、糖尿病治療薬、造血剤、ワクチン、ホルモン製剤、抗リウマチ剤、抗ガン剤、麻酔剤、血液凝固防止剤等、主に皮下注射される薬液が挙げられる。
【００３０】
図１に示すように、医療用具１は、シリンジ３と、シリンジ３を支持する医療用補助具２とを備えている。なお、医療用補助具２に対し、シリンジ３が着脱自在に装着されるようになっていてもよく、また、シリンジ３が固定的に設置されていてもよい。また、シリンジ３は、液体が予め充填されたプレフィルドシリンジでもよく、また、当初は液体が充填されていないものでもよい。
【００３１】
まず、シリンジ３について説明する。
図１に示すように、シリンジ３は、液体が充填可能な外筒（筒体）３１と、外筒３１内に設置され、外筒３１の軸方向（長手方向）に沿って摺動し得るガスケット３２と、ガスケット３２を外筒３１の軸方向に沿って移動操作（押圧操作）する押し子３３と、針管３４とを備えている。ガスケット３２は、押し子３３の先端に連結されている。
【００３２】
外筒３１は、有底筒状の部材で構成され、先端側底部には、針管３４が装着されている。針管３４は、その先端に鋭利な針先を有しており、針管３４の内腔と外筒３１の内腔とが連通している。なお、外筒３１に対し、針管３４が着脱自在に装着されるようになっていてもよく、また、針管３４が固定的に設置されていてもよい。
【００３３】
外筒３１の基端の外周には、円環状のフランジ３１１が形成されている。また、外筒３１の外周面には、液量を示す目盛り（図示せず）が付されている。
【００３４】
外筒３１の構成材料としては、特に限定されず、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂、ガラスなどが挙げられるが、その中でも、成形が容易であり、かつ水蒸気透過性が低い点で、ポリプロピレン、環状ポリオレフィン、ポリエステルのような樹脂が好ましい。なお、外筒３１は、内部の視認性を確保するために、光透過性を有する（実質的に透明または半透明である）ことが好ましい。
【００３５】
このような外筒３１内には、弾性材料で構成されたガスケット３２が外筒３１の軸方向に沿って摺動可能に収納されている。ガスケット３２の外周部には、複数（本実施形態では２つ）のリング状の突部３２１、３２２が全周にわたって形成されており、これらの突部３２１、３２２が外筒３１の内周面に密着しつつ摺動することで、液密性をより確実に保持するとともに、摺動性の向上が図れる。
【００３６】
ガスケット３２を構成する弾性材料としては、特に限定されず、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００３７】
押し子３３は、ガスケット３２を先端方向に向かって押圧して移動させることで、外筒３１内の液体を針管３４から吐出させる押圧操作を行なう部材である。押し子３３は、棒状の本体部３３１を有し、その本体部３３１の基端には、円盤状のフランジ３３２が形成されている。
【００３８】
本体部３３１の先端部には、ガスケット３２に形成された凹部（図示せず）の形状に対応した連結部（図示せず）が形成されており、この連結部がガスケット３２の凹部に挿入されることにより、押し子３３とガスケット３２とが連結される。なお、本体部３３１にガスケット３２を固定する方法は、これに限定されず、この他、例えば、本体部３３１に雄ネジを形成し、ガスケット３２に、その雄ネジに螺合する雌ネジを形成し、その両者を螺合させる方法、接着、融着等により固着する方法、一体成形する方法等が挙げられる。なお、本実施形態では、押し子３３はガスケット３２の基端側に連結されているが、連結されていなくてもよい。
【００３９】
また、押し子３３の構成材料としては、前述した外筒３１の構成材料として例示したものと同様のものを用いることができる。
【００４０】
このシリンジ３では、外筒３１とガスケット３２とで囲まれた空間（貯液空間）に、所定の液体が充填される。
【００４１】
次に、医療用補助具２について説明する。
図１に示すように、医療用補助具２は、シリンジ３を支持する本体部４と、振動機構５と、振動機構５の作動を開始するスイッチ６と、振動緩和機構７と、振動機構５に電力を供給する電源８と、コイルバネ９とを備えている。
【００４２】
本体部４は、筒状をなしている。この本体部４は、使用時に手で把持する把持部４１と、先端に生体表面１００の目的部位に当接する当接面４２１を有する当て部４２とを有している（図２、図３参照）。シリンジ３は、この本体部４に挿入され、本体部４により支持される。なお、シリンジ３が、医療用補助具２に着脱自在に装着されるようになっていてもよく、また、取り外し不能に支持されていてもよい。
【００４３】
把持部４１は、円筒状をなしており、シリンジ３の外周側に、シリンジ３と同心的に配置されている。この医療用具１は、自己注射用に用いてもよく、把持部４１の外周面には、手の平にフィットし易いように、４本の指に合わせた溝が形成されていることが好ましい（図示せず）。なお、この医療用具１を医師等の医療従事者が使用してもよいことは言うまでもない。
【００４４】
把持部４１、当て部４２の構成材料としては、特に限定されず、例えば、樹脂、セラミック、金属、木材、ガラス等の硬質材料や、エポキシ樹脂、スポンジ、シリコーン等の軟質材料を用いることができる。
【００４５】
なお、把持部４１は、その内部の視認性を確保するために、光透過性を有する（実質的に透明または半透明である）ことが好ましい。
【００４６】
当て部４２は、円筒状をなしており、シリンジ３の外周側に、シリンジ３と同心的に配置されている。また、当て部４２は、把持部４１の先端側であって、把持部４１の内周側に、把持部４１と同心的に配置され、その把持部４１に対して軸方向に移動可能に設置されている。この場合、当て部４２は、シリンジ３の針管３４の少なくとも針先を覆う第１の位置（図１、図２参照）と、第１の位置から基端方向に退避して、針管３４の針先が露出する第２の位置（図３参照）との間を移動可能になっている。
【００４７】
このように、当て部４２は、針管３４のカバー部材の機能を有しており、当て部４２が第１の位置に位置する際に、当て部４２の当接面４２１が針管３４の針先より先端側に突出し、当て部４２により、針管３４の針先が覆われている。これにより、使用者が穿刺前に針管３４の針先で誤刺することや、その針先を傷めてしまうことを防止することができる。
【００４８】
当て部４２の構成材料としては、特に限定されず、例えば、樹脂、セラミック、金属、木材、ガラス等の硬質材料が挙げられる。
【００４９】
なお、自己注射の際、針管３４が生体を穿刺することを視認したくない場合は、当て部４２は、不透明であることが好ましい。また、医療従事者が針管３４の針先の穿刺箇所を確認したい場合は、当て部４２は、その内部の視認性を確保するために、光透過性を有する（実質的に透明または半透明である）ことが好ましい。
【００５０】
コイルバネ９は、当て部４２を把持部４１およびシリンジ３に対して先端方向に付勢する付勢部材である。このコイルバネ９は、外力が付加されていない自然状態から若干、収縮した状態で本体部４の把持部４１に設置されている。これにより、医療用具１の初期状態において、当て部４２は、第１の位置に保持される。
【００５１】
振動機構５は、当て部４２を振動させる機構である。この振動機構５は、当て部４２もしくはその近傍に設置されている。
【００５２】
振動機構５としては、当て部４２を振動させることができる機構であれば特に限定されず、例えば、携帯バイブレーション用モータ等の振動モータ、圧電素子（超音波発生装置）等が挙げられる。また、振動機構５として偏心した分銅が設けられたゼンマイ等を用いてもよく、この場合は、電源８が不要である。
【００５３】
振動機構５の寸法は、特に限定されず、当て部４２の寸法等の諸条件により適宜設定されるものであるが、振動機構５として振動モータを用いる場合、その振動モータの直径は、１〜１０ｍｍ程度であることが好ましく、２〜５ｍｍ程度であることがより好ましい。また、振動モータの全長は、５〜５００ｍｍ程度であることが好ましく、１０〜３０ｍｍ程度であることがより好ましい。
【００５４】
また、振動モータは、その回転軸の先端部に半円状等の偏心した分銅を有しており、その分銅が回転すると、偏心負荷がかかり、分銅が振動する、すなわち、振動が発生する。また、振動量は、回転数、分銅の重量等によって設定される。
【００５５】
振動モータの回転数は、特に限定されず、諸条件により適宜設定されるものであるが、１０〜５００００ｒｐｍ程度であることが好ましく、また、分銅の重量は、特に限定されず、諸条件により適宜設定されるものであるが、０．０１〜１０ｇ程度であることが好ましい。また、前記回転数、前記重量の場合の共振周波数は、０．１〜５０００Ｈｚ程度であることが好ましく、１〜１０００Ｈｚ程度であることがより好ましい。
【００５６】
なお、振動モータの種類には、例えば、リニアタイプ、コインタイプ、シリンダタイプ等があり、適宜選択される。なお、リニアタイプでは１軸方向、それ以外では２軸方向の振動が得られる。
【００５７】
また、振動機構５として圧電素子を用いる場合は、前記振動モータと同様の周波数が設定される。
【００５８】
また、偏心した分銅が設けられたゼンマイでは、ゼンマイの作動により回転する回転軸の先端部に半円状等の偏心した分銅が設けられており、その分銅が回転すると、偏心負荷がかかり、分銅が振動する、すなわち、振動が発生する。
【００５９】
分銅の振動量は、ゼンマイの回転数、板厚、板幅、板長、分銅の重量に依存し、前述と同様に適宜設定される。また、分銅の稼働時間は、ゼンマイの回転数に依存し、分銅の稼働時間は、５〜１２０秒であることが好ましい。
【００６０】
このような振動機構５の作動により振動する当て部４２の振動により、目的部位、すなわち、針管３４による穿刺部位の近傍に振動刺激（振動）が与えられることで、針管３４により生体を穿刺したときの痛み（穿刺痛）が抑制される。この理論は、触、圧、振動等の低閾値感覚を伝える太い神経線維を刺激することで、脊髄後角膠様質ニューロンを活性化させ、痛みの信号通路のゲートを閉ざし、痛みを抑制するというゲートコントロール理論に基づくものである。なお、痛みの抑制には、痛みを低減することのみならず、痛みをなくすことも含まれる。
【００６１】
電源８は、振動機構５に電力を供給する手段であり、把持部４１に設置されている。電源８としては、例えば、電池や、電力変換回路等で構成することができる。電源８から供給された電力により、振動機構５を作動し、当て部４２を振動させる。
【００６２】
スイッチ６は、振動機構５の作動を開始、停止する機構である。
このスイッチ６は、当て部４２が第１の位置に位置しているときは、振動機構５を作動させず、当て部４２が第２の位置に移動する際、振動機構５の作動を開始するよう構成されている。本実施形態では、当て部４２が第１の位置から第２の位置に移動する途中、すなわち、当て部４２の当接面４２１から針管３４の針先が突出する直前に、振動機構５の作動を開始する。
【００６３】
具体的には、スイッチ６は、当て部４２の基端部に固定されたスライダ６１と、スライダ６１に設置された端子６２、６３と、把持部４１に設置された端子６４、６５とを有している。端子６２、６３は、それぞれ、振動機構５に電気的に接続されており、また、端子６４、６５は、それぞれ、電源８に電気的に接続されている。
【００６４】
そして、把持部４１の内周面には、軸方向に延在する溝４１１が形成されており、スライダ６１は、この溝４１１に挿入され、当て部４２とともに、溝４１１に沿って軸方向に移動する。なお、前記コイルバネ９は、溝４１１内に挿入されており、コイルバネ９の先端部は、スライダ６１に固定または当接し、基端部は、把持部４１に固定または当接している。なお、当て部４２が第１の位置と第２の位置を移動できれば、コイルバネ９の位置は限定されず、例えば当て部４２と振動緩和機構７との間に設置されていてもよい。
【００６５】
初期状態では、当て部４２は、第１の位置に位置し（図１、図２参照）、端子６２と端子６４とは接続し、端子６３と端子６５とは接続していない。すなわち、スイッチ６は、オフである。この状態では、電源８から振動機構５に電力は供給されず、振動機構５は停止している。
【００６６】
図３に示すように、医療用具１を生体表面１００に押し付けることにより、把持部４１がコイルバネ９の付勢力に抗して基端方向に移動し、この際、まずは、端子６２と端子６４とが接続した状態は維持され、端子６３と端子６５とが接続する。すなわち、スイッチ６がオンになる。この状態では、電源８から振動機構５に電力が供給され、振動機構５が作動する。振動機構５が作動した後、さらに当て部４２を押しつけると、当て部４２の当接面４２１から針管３４の針先が突出し、その針管３４が生体に穿刺される。
【００６７】
振動緩和機構７は、当て部４２の振動がシリンジ３に伝達することを抑制する機構であり、本体部４の把持部４１とシリンジ３との間に設けられている。この振動緩和機構７は、シリンジ３を支持し、本体部４に対するシリンジ３の位置を規制する機能を有している。なお、前記振動の伝達の抑制には、シリンジ３の振動を低減することのみならず、シリンジ３の振動をなくすことも含まれる。
【００６８】
振動緩和機構７の寸法は、特に限定されず、把持部４１の寸法等の諸条件により適宜設定される。
【００６９】
この振動緩和機構７は、本体部４に設置された磁石ユニット７ａと、シリンジ３に設置された磁石ユニット７ｂとを有している。
【００７０】
磁石ユニット７ａは、１対の永久磁石７１、７２および永久磁石７３と、これらを支持する支持部材７０ａとを有しており、支持部材７０ａは、本体部４の把持部４１の内周面に固定されている。この固定方法は、特に限定されず、例えば、接着剤による接着、融着や、摩擦力で固定する方法等が挙げられる。
【００７１】
支持部材７０ａの形状は、特に限定されないが、本実施形態では中空の円環状をなしており、その支持部材７０ａの中空部に、後述する磁石ユニット７ｂが配置さている。なお、シリンジ３は、磁石ユニット７ａおよび７ｂを挿通しており、磁石ユニット７ａは、シリンジ３に接触していない。また、永久磁石７１〜７３の形状は、それぞれ、特に限定されないが、本実施形態では円環状をなしている。
【００７２】
永久磁石７１は、シリンジ３と同心的に、支持部材７０ａの基端側の部位に設置され、永久磁石７２は、シリンジ３と同心的に、支持部材７０ａの先端側の部位に設置されている。また、永久磁石７１と永久磁石７２とは、シリンジ３の軸方向（図１中の上下方向）に互いに対向するように配置さている。また、永久磁石７３は、シリンジ３と同心的に配置され、かつ、永久磁石７１、７２よりも外周側に配置されている。
【００７３】
また、永久磁石７１、７２は、それぞれ、シリンジ３の軸方向の両端面が磁極となり、永久磁石７１、７２の互いの対向する面同士が異極となるように着磁されている。また、永久磁石７３は、その径方向の両端面、すなわち、外周面および内周面が磁極となるように着磁されている。
【００７４】
また、磁石ユニット７ｂは、永久磁石７４および永久磁石７５と、これらを支持する支持部材７０ｂとを有しており、支持部材７０ｂは、シリンジ３の外筒３１の基端部の外周面に固定されている。この固定方法は、特に限定されず、例えば、接着剤による接着、融着や、摩擦力で固定する方法等が挙げられる。
【００７５】
支持部材７０ｂの形状は、特に限定されないが、本実施形態では円環状をなしている。また、永久磁石７４、７５の形状は、それぞれ、特に限定されないが、本実施形態では円環状をなしている。
【００７６】
永久磁石７４は、シリンジ３と同心的に配置され、かつ、シリンジ３の軸方向に永久磁石７１、７２と対向するように配置されている。
【００７７】
また、永久磁石７５は、シリンジ３と同心的に配置され、かつ、永久磁石７４よりも外周側で永久磁石７３よりも内周側に配置されている。また、永久磁石７５は、シリンジ３の径方向に永久磁石７３と対向するように配置されている。
【００７８】
また、永久磁石７４は、シリンジ３の軸方向の両端面が磁極となり、永久磁石７４、７１の互いの対向する面同士が同極となり、永久磁石７４、７２の互いの対向する面同士が同極となるように着磁されている。
【００７９】
また、永久磁石７５は、その径方向の両端面、すなわち、外周面および内周面が磁極となり、永久磁石７５、７３の互いの対向する面同士が同極となるように着磁されている。
【００８０】
なお、各永久磁石７１〜７５の磁極の極性の具体例を挙げると、永久磁石７１、７２、７４については、永久磁石７１の先端側の面が「Ｎ極」、永久磁石７２の基端側の面が「Ｓ極」、永久磁石７４の基端側の面が「Ｎ極」、先端側の面が「Ｓ極」となる場合と、永久磁石７１の先端側の面が「Ｓ極」、永久磁石７２の基端側の面が「Ｎ極」、永久磁石７４の基端側の面が「Ｓ極」、先端側の面が「Ｎ極」となる場合が挙げられる。また、永久磁石７３、７５については、永久磁石７３の内周側の面が「Ｎ極」、永久磁石７５の外周側の面が「Ｎ極」となる場合と、永久磁石７３の内周側の面が「Ｓ極」、永久磁石７５の外周側の面が「Ｓ極」となる場合とが挙げられる。
【００８１】
また、永久磁石７１〜７５としては、それぞれ、特に限定されず、例えば、アルニコ磁石、フェライト磁石、ネオジム磁石、サマリウムコバルト磁石、ＫＳ鋼、ＭＫ鋼等が挙げられる。また、永久磁石７１〜７５の最大エネルギー積（ＢＨ）ｍａｘは、それぞれ、できるだけ大きい方が好ましく、例えば、１〜５００ｋＪｍ３程度の範囲内に設定されることが好ましい。
【００８２】
この振動緩和機構７では、永久磁石７４は、永久磁石７１および７２から斥力（反発力）を受け、永久磁石７５は、永久磁石７３から斥力を受ける。これにより、磁石ユニット７ｂは、磁石ユニット７ａに非接触で、磁石ユニット７ａに支持され、その軸方向および径方向の位置が規制される。
【００８３】
このようにして、シリンジ３は、その基端部において、振動緩和機構７を介して本体部４の把持部４１に支持され、これにより、本体部４に対するシリンジ３の位置、すなわち、把持部４１に対するシリンジ３の軸方向および径方向の位置が規制される。
【００８４】
また、永久磁石７１〜７５の斥力により、当て部４２の振動がシリンジ３に伝達することが抑制される。
【００８５】
次に、医療用具１の使用方法と、その使用時の作動状態とについて、図１〜図３を参照しつつ説明する。
【００８６】
図１に示すように、初期状態では、当て部４２は、第１の位置に位置し（図１、図２参照）、端子６２と端子６４とは接続し、端子６３と端子６５とは接続していない。すなわち、スイッチ６は、オフとなっている。この状態では、電源８から振動機構５に電力は供給されず、振動機構５は停止している。また、当て部４２の当接面４２１が針管３４の針先より先端側に突出し、当て部４２により、針管３４の針先が覆われている。
【００８７】
液体を投与する際は、図２に示すように、シリンジ３の外筒３１内に液体が充填された医療用具１の把持部４１を手で把持し、当て部４２の当接面４２１を生体表面１００に当接させる。
【００８８】
そして、図３に示すように、医療用具１を生体表面１００に押し付ける。これにより、把持部４１がコイルバネ９の付勢力に抗して基端方向に移動する。この際、まずは、端子６２と端子６４とが接続した状態は維持され、端子６３と端子６５とが接続する。すなわち、スイッチ６がオンになる。この状態では、電源８から振動機構５に電力が供給され、振動機構５が作動する。これにより、針管３４による穿刺部位の近傍に振動刺激が与えられる。そして、振動機構５が作動した後、さらに当て部４２を押しつけると、当接面４２１から針管３４針先が突出し、その針管３４が生体に穿刺される。この針管３４により生体を穿刺する痛みは、前記振動刺激により抑制される。
【００８９】
また、振動緩和機構７により、当て部４２の振動がシリンジ３に伝達することが抑制される。
【００９０】
なお、コイルバネ９の付勢力が比較的大きい場合は、当て部４２の当接面４２１が生体表面１００に強く押し付けられ、その圧力、すなわち、圧刺激によっても、針管３４により生体を穿刺する痛みが抑制される。
【００９１】
次に、シリンジ３の押し子３３を押圧操作して、液体を投与する。
そして、液体の投与が完了した後、医療用具１を基端方向に移動させ、針管３４を生体から抜去する。これにより、コイルバネ９の付勢力により、把持部４１が先端方向に移動する。この際、まずは、針管３４が生体から抜去され、当て部４２により、針管３４の針先が覆われる。そして、この後、端子６３と端子６５とが非接続となる。すなわち、スイッチ６がオフになる。この状態では、電源８から振動機構５に電力は供給されず、振動機構５が停止する。このようにして、針管３４が生体に穿刺される直前からが生体から抜去された直後まで、針管３４による穿刺部位の近傍に振動刺激が与えられる。
【００９２】
以上説明したように、この医療用具１によれば、生体表面の目的部位に振動刺激を与えることにより、シリンジ３により液体の投与を行う際の針管３４の穿刺痛を低減することができる。
【００９３】
また、振動がシリンジ３に伝達することを抑制することができ、また、医療用補助具２がシリンジ３を支持し、これらが一体化することにより、医療用具１を片手で容易かつ確実に操作することができる。特に、振動がシリンジ３に伝達することを抑制することがでるので、容易かつ確実に、針管３４を目的の箇所に挿入することができる。
【００９４】
なお、磁石ユニット７ａの支持部材７０ａと磁石ユニット７ｂの支持部材７０ｂの形状を変更し、１対の永久磁石７１、７２を支持部材７０ｂに設置し、永久磁石７４を支持部材７０ａに設置してもよい。
また、振動緩和機構７は、当て部４２とシリンジ３との間に設けられていてもよい。
【００９５】
＜第２実施形態＞
図４は、本発明の医療用具の第２実施形態を示す断面図（ブロック図を含む）である。
【００９６】
以下、第２実施形態について、前述した第１実施形態との相違点を中心に説明し、同様の事項については、その説明を省略する。
【００９７】
図４に示すように、第２実施形態の医療用具１では、振動緩和機構７は、衝撃を吸収する衝撃吸収体１１を有している。この衝撃吸収体１１は、筒状をなし、本体部４とシリンジ３との間に設けられている。この場合、衝撃吸収体１１の内周面は、シリンジ３の外筒３１の基端部の外周面に固定もしくは当接し、衝撃吸収体１１の外周面は、本体部４の把持部４１の内周面に固定されている。この固定方法は、特に限定されず、例えば、接着剤による接着、融着や、摩擦力で固定する方法等が挙げられる。
【００９８】
衝撃吸収体１１の寸法は、特に限定されず、把持部４１の寸法等の諸条件により適宜設定されるものであるが、衝撃吸収体１１の直径は、５〜５０ｍｍ程度であることが好ましく、高さは、５〜１５０ｍｍ程度であることが好ましい。また、衝撃吸収体１１の厚さ、すなわち、シリンジ３の外筒３１の外周面と把持部４１の内周面との距離は、０．１〜２２ｍｍ程度であることが好ましい。
【００９９】
衝撃吸収体１１としては、本体部４から加わる衝撃、すなわち、振動を吸収し得るものであれば、特に限定されず、例えば、弾性体等、衝撃吸収材で構成された構造体、可撓性を有するバッグとそのバッグ内に充填された充填物とで構成された衝撃吸収バッグ等が挙げられる。
【０１００】
弾性体としては、例えば、防振ゴム等の各種のエラストマー（ゴム）、各種のバネ等が挙げられる。防振ゴムのショアＡ硬度は、１５〜９５程度であることが好ましい。また、表面に、凹凸等の表面加工を施すことでより高い防振性を発揮することができる。なお、衝撃吸収体１１を構成する弾性体がバネの場合の構成例は、後述する第３実施形態で説明する。
【０１０１】
衝撃吸収材としては、本体部４から加わる衝撃、すなわち、振動を吸収し得るものであれば、特に限定されず、例えば、シリコーン、ウレタン、アクリル等が挙げられ、これらの２種以上を組み合わせて用いてもよい。また、スポンジ様の発泡体であってもよい。また、伸び率は、５０〜１０００％程度であることが好ましく、反発弾性率は、１％以下であることが好ましい。
【０１０２】
また、衝撃吸収バッグの可撓性を有するバッグの構成材料としては、特に限定されず、例えば、塩化ビニル、ポリウレタン、ポリウレタンエラストマー、スチレン−エチレン−ブチレン−スチレン共重合体（ＳＥＢＳ）、スチレン−エチレン−プロピレン−スチレン共重合体（ＳＥＰＳ）、エチレン酢酸ビニル共重合体（ＥＶＡ）、ナイロン等のポリアミド樹脂およびポリアミドエラストマー、ポリエチレンテレフタレート（ＰＥＴ）等のポリエステル樹脂およびポリエステルエラストマー、ポリエチレン等のオレフィン系樹脂、天然ゴム、シリコーンエラストマー、フッ素ゴム等のエラストマー（ゴム）、フッ素樹脂等が挙げられる。また、バッグの形状は特に限定されず、例えば気泡緩衝材のように複数の隔壁を有するものであっても良い。
【０１０３】
また、バッグ内に充填する充填物としては、本体部４から加わる衝撃、すなわち、振動を吸収し得るものであれば、特に限定されず、例えば、前記衝撃吸収材の他、空気等の気体、水等の液体等の流動体、砂やシリコーン、エラストマー（ゴム）等で構成された粒状体、バネ等が挙げられる。
【０１０４】
また、振動緩和機構７は、図５に示すように当て部４２と把持部４１との間に設けられていてもよい。この場合、振動緩和機構７は弾性体、衝撃吸収材等で構成され、把持部４１はその内周側にシリンジ３を支持する支持部４１７を有する。
この医療用具１によれば、前述した第１実施形態と同様の効果が得られる。
【０１０５】
＜第３実施形態＞
図６は、本発明の医療用具の第３実施形態を示す断面図（ブロック図を含む）である。
【０１０６】
以下、第３実施形態について、前述した第１実施形態との相違点を中心に説明し、同様の事項については、その説明を省略する。
【０１０７】
図６に示すように、第３実施形態の医療用具１では、振動緩和機構７は、衝撃を吸収する衝撃吸収体として、メッシュスプリング（バネ）１２を有している。
【０１０８】
メッシュスプリング１２は、例えば、線材をメリヤス編み（メッシュ状に編み込んだ）後、成形されたものである。このメッシュスプリング１２の全体形状は、筒状をなしており、そのメッシュスプリング１２は、本体部４とシリンジ３との間に設けられている。この場合、メッシュスプリング１２の内周面は、シリンジ３の外筒３１の基端部の外周面に固定もしくは当接し、外周面は、本体部４の把持部４１の内周面に固定されている。この固定方法は、特に限定されず、例えば、接着剤による接着、融着や、摩擦力で固定する方法等が挙げられる。
【０１０９】
メッシュスプリング１２の撓み量（全長からどれだけ縮むか）は、１０〜９０％の範囲で設定されることが好ましく、メッシュスプリング１２の全長、メッシュ厚、メッシュスプリング１２を構成する線材の構成材料、線材の径等の諸条件に応じて適宜設定される。
【０１１０】
また、メッシュスプリング１２の寸法は、特に限定されず、シリンジ３や本体部４の寸法等の諸条件に応じて適宜設定されるものであるが、メッシュスプリング１２の直径は、５〜５０ｍｍ程度であることが好ましく、高さは、５〜１５０ｍｍ程度であることが好ましく、メッシュ厚は、０．１〜２２ｍｍ程度であることが好ましく、メッシュスプリング１２を構成する線材の直径は、０．１〜１ｍｍ程度であることが好ましい。
【０１１１】
また、メッシュスプリング１２の構成材料は、特に限定されず、例えば、鉄鋼、Ｓｉ−Ｍｎ鋼、Ｍｎ−Ｃｒ鋼、Ｍｎ−Ｃｒ−Ｖ鋼、Ｍｎ−ＣＲ−Ｂ鋼、Ｓｉ−Ｍｎ−Ｃｒ鋼、Ｍｎ−Ｃｒ−Ｃｏ鋼、Ｃｒ−Ｎｉ鋼、Ｃｒ−Ｎｉ−Ｃｕ鋼、Ｃｒ−Ｎｉ−Ａｌ鋼、Ｃ−Ｃｒ鋼、炭素鋼、ベリリウム鋼、黄銅、リン青銅、羊白（ｎｉｃｋｅｌ  ｓｉｌｖｅｒ）、Ｃｕ−Ｎｉ鋼、Ｃｕ−Ｎｉ−Ｚｎ鋼、Ｃｕ−Ｓｎ鋼、Ｃｕ−Ｚｎ−Ａｌ鋼、Ｃｕ−Ｎｉ−Ｓｎ鋼、Ｃｕ−Ｂｅ鋼、Ｃｕ−Ｂｅ−Ｃｏ鋼、Ｎｉ−Ｃｏ鋼、Ｎｉ合金、ステンレス鋼、Ｔｉ合金、Ｔｉ−Ｐｄ鋼、Ｎｉ−Ｔｉ鋼、Ｎｉ−Ａｌ鋼、Ｉｎ−Ｔｉ鋼、Ｉｎ−Ｃｄ鋼、Ｔｉ−Ｎｉ−Ｃｕ鋼、Ｔ−Ｎｉ−Ｆｅ鋼、Ｃｕ−Ｚｎ鋼、カーボンファイバ、ガラスファイバ、セラミック、ＰＳＺ、窒化ケイ素、形状記憶合金、Ａｇ−Ｃｄ鋼、Ａｕ−Ｃｄ鋼、Ｃｕ−Ａｌ−Ｎｉ鋼、Ｃｕ−Ａｕ−Ｚｎ鋼、金属基複合材料（ＦＲＭ）、高分子基複合材料（ＦＲＰ）、セラミックス基複合材料（ＦＲＣ）、ガラス繊維強化プラスチック（ＧＦＲＰ）、エラストマー（ゴム）、エポキシ樹脂等を適用することができる。
【０１１２】
なお、衝撃吸収体を構成するバネとしては、メッシュスプリングに限らず、この他、例えば、コイルバネ、板バネ、皿バネ等が挙げられ、これの２種以上を組み合わせて用いてもよい。また、同種のものを複数用いてもよい。
【０１１３】
コイルバネは、一方の端部がシリンジ３の外筒３１の外周面に固定もしくは当接し、他方の端部が本体部４の把持部４１の内周面に固定される。
【０１１４】
コイルバネの寸法は、特に限定されず、シリンジ３や本体部４の寸法等の諸条件に応じて適宜設定されるものであるが、コイルバネの直径は、１〜５０ｍｍ程度であることが好ましく、全長は、０．１〜２２ｍｍ程度であることが好ましく、巻き数は、１〜２０回程度であることが好ましく、コイルバネを構成する線材の直径は、０．１〜１ｍｍ程度であることが好ましい。
【０１１５】
同様に、皿バネおよび板バネの寸法は、それぞれ、特に限定されず、シリンジ３や本体部４の寸法等の諸条件に応じて適宜設定されるものであるがは、皿バネおよび板バネの全長は、５〜１５０ｍｍ程度であることが好ましく、板厚は、０．１〜５ｍｍ程度であることが好ましく、板幅は、１〜３０ｍｍ程度であることが好ましい。
【０１１６】
コイルバネ、板バネ、皿バネ等の構成材料は、特に限定されないが、前記メッシュスプリングと同様の材料を適用することができる。
この医療用具１によれば、前述した第１実施形態と同様の効果が得られる。
【０１１７】
＜第４実施形態＞
図７は、本発明の医療用具の第４実施形態を示す断面図（ブロック図を含む）である。
【０１１８】
以下、第４実施形態について、前述した第１実施形態との相違点を中心に説明し、同様の事項については、その説明を省略する。
【０１１９】
図７に示すように、第４実施形態の医療用具１では、本体部４の当て部４２は、把持部４１の外周側に、把持部４１と同心的に配置されている。そして、スライダ６１およびコイルバネ９が挿入される溝４１２は、把持部４１の外周面に形成されている。また、振動機構５は、当て部４２の先端部に設置されている。
【０１２０】
また、シリンジ３の外筒３１は、把持部４１に固定もしくは支持されている。この固定方法は、特に限定されず、例えば、嵌合、接着剤による接着、融着や、摩擦力で固定する方法等が挙げられる。
【０１２１】
また、振動緩和機構７は、当て部４２の振動により把持部４１が振動することを抑制する機構、すなわち、当て部４２の振動により振動する把持部４１の振動と逆位相の振動を把持部４１に与える機構である。
【０１２２】
具体的には、振動緩和機構７は、逆位相振動機構１３を有している。そして、医療用補助具２は、さらに、逆位相振動機構１３の作動を開始するスイッチ１４と、逆位相振動機構１３に電力を供給する電源１５と、当て部４２を把持部４１およびシリンジ３に対して先端方向に付勢するコイルバネ（付勢部材）１６とを備えている。
【０１２３】
逆位相振動機構１３は、把持部４１を振動させる機構であり、把持部４１に設置されている。本実施形態では、逆位相振動機構１３は、把持部４１の軸方向の中央部に設置されている。
【０１２４】
逆位相振動機構１３としては、例えば、前述した振動機構５として例示したものを用いることができる。また、逆位相振動機構１３として偏心した分銅が設けられたゼンマイ等を用いる場合は、電源１５が不要である。なお、逆位相振動機構１３と振動機構５とは、同一のもの（同種のもの）であってもよく、また、異なるもの（異種のもの）であってもよい。
【０１２５】
この逆位相振動機構１３は、振動機構５の作動により当て部４２が振動する際、その当て部４２の振動により生じる把持部４１の振動と逆位相の振動を把持部４１に与えるように構成されている。すなわち、逆位相振動機構１３は、振動機構５の作動による生じる把持部４１の振動に対して１／２周期ずらして把持部４１を振動させることにより、その両方の振動を互いに相殺させる。これにより、把持部４１の振動を抑制することができる。
【０１２６】
電源１５およびコイルバネ１６は、それぞれ、前述した電源８およびコイルバネ９と同様であるので、その説明は、省略する。
【０１２７】
スイッチ１４は、逆位相振動機構１３の作動を開始、停止する機構であり、前述したスイッチ６と配線が若干異なるが、略同様のものである。このスイッチ１４により、逆位相振動機構１３は、振動機構５と略同時に作動を開始し、振動機構５と略同時に停止する。
【０１２８】
具体的には、スイッチ１４は、当て部４２の基端部に固定されたスライダ１４１と、スライダ１４１に設置された端子１４２、１４３と、把持部４１に設置された端子１４４、１４５とを有している。また、逆位相振動機構１３の一方の入力端子は、電源の一方の出力端子に電気的に接続され、他方の入力端子は、端子１４５に電気的に接続されている。また、電源１５の他方の出力端子は、端子１４４に電気的に接続されている。
【０１２９】
そして、把持部４１の外周面には、軸方向に延在する溝４１２が形成されており、スライダ１４１は、この溝４１２に挿入され、当て部４２とともに、溝４１２に沿って軸方向に移動する。なお、前記コイルバネ１６は、溝４１２内に挿入されており、コイルバネ１６の先端部は、スライダ１４１に固定または当接し、基端部は、把持部４１に固定または当接している。
【０１３０】
この医療用具１によれば、前述した第１実施形態と同様の効果が得られる。
なお、コイルバネ９とコイルバネ１６の一方は、省略してもよい。
【０１３１】
＜第５実施形態＞
図８は、本発明の医療用具の第５実施形態を示す断面図（ブロック図を含む）である。
【０１３２】
以下、第５実施形態について、前述した第１実施形態との相違点を中心に説明し、同様の事項については、その説明を省略する。
【０１３３】
図８に示すように、第５実施形態の医療用具１は、位置規制機構１７を有している。
位置規制機構１７は、振動緩和機構７よりも先端側、すなわち、当て部４２とシリンジ３との間に設けられている。この位置規制機構１７は、本体部４に対するシリンジ３の先端部の径方向の位置を規制する機能を有している。
【０１３４】
この位置規制機構１７は、本体部４に設置された永久磁石１７１と、シリンジ３に設置された永久磁石１７２とを有している。
【０１３５】
永久磁石１７１の形状は、特に限定されないが、本実施形態では円環状をなしている。この永久磁石１７１は、本体部４の把持部４１の内周面に固定されている。この永久磁石１７１の固定方法は、特に限定されず、例えば、接着剤による接着、融着や、摩擦力で固定する方法等が挙げられる。また、永久磁石１７１は、その径方向の両端面、すなわち、外周面および内周面が磁極となるように着磁されている。
【０１３６】
また、永久磁石１７２の形状は、特に限定されないが、本実施形態では円環状をなしている。この永久磁石１７２は、永久磁石１７１の内周側に配置され、シリンジ３の外筒３１の先端部の外周面に固定されている。また、永久磁石１７２は、シリンジ３の径方向に永久磁石１７１と対向するように配置されている。この永久磁石１７２の固定方法は、特に限定されず、例えば、接着剤による接着、融着や、摩擦力で固定する方法等が挙げられる。また、永久磁石１７２は、その径方向の両端面、すなわち、外周面および内周面が磁極となり、永久磁石１７２、１７１の互いの対向する面同士が同極となるように着磁されている。
【０１３７】
この位置規制機構１７では、永久磁石１７２は、永久磁石１７１から斥力（反発力）を受ける。これにより、永久磁石１７２は、永久磁石１７１に非接触で、その径方向の位置が規制される。
【０１３８】
このようにして、位置規制機構１７により、本体部４に対するシリンジ３の先端部の径方向の位置が規制されるとともに、当て部４２の振動がシリンジ３に伝達することが抑制される。
この医療用具１によれば、前述した第１実施形態と同様の効果が得られる。
【０１３９】
そして、この医療用具１では、シリンジ３は、その基端部において振動緩和機構７を介して本体部４の把持部４１に支持され、さらに、位置規制機構１７により、本体部４に対するシリンジ３の先端部の径方向の位置が規制される。これにより、シリンジ３は、医療用補助具２に安定的に支持され、これによって、さらに容易かつ確実に、針管３４を目的の箇所に挿入することができる。
【０１４０】
なお、位置規制機構１７としては、前述したものに限定されず、例えば、第２実施形態、第３実施形態における振動緩和機構７と同様のものを用いてもよい。
【０１４１】
また、振動緩和機構７としては、図示のものに限定されず、例えば、第２実施形態〜第４実施形態における振動緩和機構７と同様のものを用いてもよい。
【０１４２】
＜第６実施形態＞
図９は、本発明の医療用具の第６実施形態を示す断面図（ブロック図を含む）である。
【０１４３】
以下、第６実施形態について、前述した第１実施形態との相違点を中心に説明し、同様の事項については、その説明を省略する。
【０１４４】
図９に示すように、第６実施形態の医療用具１では、医療用補助具２は、当て部４２の振動が把持部４１を把持した手に伝達することを抑制する振動伝達抑制機構１８を有している。
【０１４５】
振動伝達抑制機構１８は、衝撃を吸収する衝撃吸収体１９を有している。この衝撃吸収体１９は、筒状をなし、把持部４１の外周面に設けられている。この場合、衝撃吸収体１９の内周面が把持部４１の外周面に固定されている。この固定方法は、特に限定されず、例えば、接着剤による接着、融着や、摩擦力で固定する方法等が挙げられる。
【０１４６】
衝撃吸収体１９としては、第２実施形態における衝撃吸収体１１と同様のものを用いることができる。
【０１４７】
なお、振動伝達抑制機構１８は、衝撃吸収体１９以外のもので構成されていてもよいことは、言うまでもない。
【０１４８】
この医療用具１によれば、前述した第１実施形態と同様の効果が得られる。
そして、この医療用具１では、振動伝達抑制機構１８により、当て部４２の振動が把持部４１を把持した手に伝達することを抑制することができるので、さらに容易かつ確実に、針管３４を目的の箇所に挿入することができる。
【０１４９】
なお、振動緩和機構７としては、図示のものに限定されず、例えば、第２実施形態〜第４実施形態における振動緩和機構７と同様のものを用いてもよい。
また、この第６実施形態は、第５実施形態にも適用することができる。
【０１５０】
＜第７実施形態＞
図１０は、本発明の医療用具の第７実施形態を示す断面図（ブロック図を含む）である。
【０１５１】
以下、第７実施形態について、前述した第１実施形態との相違点を中心に説明し、同様の事項については、その説明を省略する。
第７実施形態の医療用具１は、医師等の医療従事者が使用する形態のものである。
【０１５２】
図１０に示すように、この医療用具１では、把持部４１の外周面に、１対の突部４１３、４１４が径方向外側に突出するように形成されている。各突部４１３、４１４は、把持部４１の中心軸に対して線対称になるように配置されている。各突部４１３、４１４は、指を掛ける指掛け部として機能する。
【０１５３】
医療用具１を使用する際は、医療従事者は、例えば、中指を突部４１４に掛け、薬指を突部４１３に掛け、親指をシリンジ３の押し子３３のフランジ３３２に宛がい、押圧操作を行う。なお、この医療用具１を自己注射用として用いてもよいことは言うまでもない。  また、当て部４２の当接面４２１は、当て部４２の中心軸に対して所定角度傾斜している。また、当て部４２は、その内部の視認性を確保するために、光透過性を有する（実質的に透明または半透明である）ことが好ましい。
【０１５４】
また、振動緩和機構７の磁石ユニット７ｂでは、永久磁石７４、７５を支持する支持部材として、シリンジ３の外筒３１のフランジ３１１が用いられている。これにより、永久磁石７４、７５の位置がずれてしまうことを防止することができ、また、別途、支持部材を設ける必要がなく、部品点数の削減や構造の簡素化を図ることができる。
【０１５５】
この医療用具１によれば、前述した第１実施形態と同様の効果が得られる。
なお、各突部４１３、４１４を、例えば円環状のフランジに変更してもよい。
また、この第７実施形態は、第２実施形態〜第６実施形態にも適用することができる。
【０１５６】
＜第８実施形態＞
図１１は、本発明の医療用具の第８実施形態を示す斜視図である。
【０１５７】
以下、第８実施形態について、前述した第２実施形態との相違点を中心に説明し、同様の事項については、その説明を省略する。
【０１５８】
図１１に示すように、第８実施形態の医療用具１では、医療用補助具２の本体部４ａの把持部４１ａは、箱状をなしており、その把持部４１ａの一方の端部には、傾斜面４１５が形成されている。そして、傾斜面４１５には、シリンジ３を支持するＣ字状をなすクリップ（支持部材）４１６が形成されている。なお、シリンジ３は、クリップ４１６に着脱自在に装着される。
【０１５９】
振動緩和機構７の衝撃吸収体２１は、Ｃ字状をなし、クリップ４１６とシリンジ３との間に設けられている。この場合、衝撃吸収体２１の外周面は、クリップ４１６の内周面に固定されている。この固定方法は、特に限定されず、例えば、接着剤による接着、融着や、摩擦力で固定する方法等が挙げられる。また、シリンジ３の外筒３１の基端部は、衝撃吸収体２１の内周面に当接し、その衝撃吸収体２１を介してクリップ４１６で把持されている。シリンジ３は、医療用補助具２に対し、衝撃吸収体２１以外の部位には、接触していない。
【０１６０】
なお、衝撃吸収体２１としては、第２実施形態における衝撃吸収体１１と同様のものを用いることができる。
【０１６１】
また、当て部４２ａは、把持部４１ａの傾斜面４１５が形成されている側の端部から突出形成されている。
【０１６２】
当て部４２ａは、その横断面形状が、Ｃ字状をなしている、すなわち、当接面４２１ａは、Ｃ字状をなしている。シリンジ３の先端部は、この当て部４２ａに挿入されている。
【０１６３】
また、把持部の所定の箇所には、図示しない操作スイッチが設置されており、その操作スイッチを操作すると、スイッチ６のオン、オフが切り換る。
【０１６４】
この医療用具１によれば、前述した第２実施形態と同様の効果が得られる。
また、この第８実施形態は、第１実施形態、第３実施形態〜第７実施形態にも適用することができる。
【０１６５】
以上、本発明の医療用補助具および医療用具を図示の実施形態に基づいて説明したが、本発明は、これに限定されるものではなく、各部の構成は、同様の機能を有する任意の構成のものに置換することができる。また、本発明に、他の任意の構成物が付加されていてもよい。
【０１６６】
また、本発明は、前記実施形態のうちの、任意の２以上の構成（特徴）を組み合わせたものであってもよい。
【０１６７】
また、振動緩和機構の磁石は、前記実施形態では、永久磁石であるが、本発明では、これに限定されず、例えば、電磁石であってもよい。なお、電磁石を用いる場合は、例えば、電磁石の作動が、振動機構の作動と連動するように構成する。
【０１６８】
また、シリンジは、前記実施形態では、薬液等の液体を投与する器具であるが、本発明では、これに限定されず、例えば、血液等の体液を採取する器具であってもよい。
【０１６９】
また、シリンジの押圧操作は、前記実施形態では、手動で行っているが、本発明では、これに限定されず、例えば、ポンプ等の自動注入装置を用いて行うようになってもよい。
【０１７０】
また、シリンジは、前記実施形態では、針管を有し、その針管を介して液体を投与する器具であるが、本発明では、これに限定されず、例えば、ジェットインジェクター等の針管を用いずに液体を投与する器具であってもよい。
【０１７１】
また、シリンジは、前記実施形態では、手動操作で液体を投与する器具であるが、本発明では、これに限定されず、例えば、オートインジェクター等の自動的に液体を投与する器具であってもよい。オートインジェクターの一例としては、オートインジェクターは、例えば、押し子を先端方向に付勢するコイルバネ等の付勢部材を有しており、液体を投与する際、そのコイルバネの付勢力により、押し子が先端方向に押圧され、自動的に押し子が先端方向に移動するよう構成されている。
【符号の説明】
【０１７２】
１              医療用具
２              医療用補助具
３              シリンジ
３１            外筒
３１１          フランジ
３２            ガスケット
３２１、３２２  突部
３３            押し子
３３１          本体部
３３２          フランジ
３４            針管
４、４ａ        本体部
４１、４１ａ    把持部
４１１、４１２  溝
４１３、４１４  突部
４１５          傾斜面
４１６          クリップ
４１７          支持部
４２、４２ａ    当て部
４２１、４２１ａ  当接面
５              振動機構
６              スイッチ
６１            スライダ
６２〜６５      端子
７              振動緩和機構
７ａ、７ｂ      磁石ユニット
７０ａ、７０ｂ  支持部材
７１〜７５      永久磁石
８              電源
９              コイルバネ
１１            衝撃吸収体
１２            メッシュスプリング
１３            逆位相振動機構
１４            スイッチ
１４１          スライダ
１４２〜１４５  端子
１５            電源
１６            コイルバネ
１７            位置規制機構
１７１、１７２  永久磁石
１８            振動伝達抑制機構
１９、２１      衝撃吸収体
１００          生体表面
【図１】
2015062563.tif 000003
【図２】
2015062563.tif 000004
【図３】
2015062563.tif 000005
【図４】
2015062563.tif 000006
【図５】
2015062563.tif 000007
【図６】
2015062563.tif 000008
【図７】
2015062563.tif 000009
【図８】
2015062563.tif 000010
【図９】
2015062563.tif 000011
【図１０】
2015062563.tif 000012
【図１１】
2015062563.tif 000013